(57)【要約】      （修正有）【課題】加熱効率を向上させ、かつ防水性を持ち、ヘアーアイロンによる直熱で毛髪を加熱することによりトリートメントの有効成分を浸透させて保護皮膜を形成させるようにしたもので、手作業による丁寧な仕上がりが得られるようにしたトリートメント用ヘアーアイロンを提供する。【解決手段】一対の毛髪挟持アームの基端部が閉開可能に枢着され、加熱腕部１１は金属管による本体加熱管１２と、プラスチック製のキャップ部材１３により形成され、かつ本体加熱管と把持腕部１０との接続部に耐熱緩衝材３１が形成されると共に、本体加熱管とキャップ部材との接続部に耐熱緩衝材３２が形成されている。【選択図】図１
0003164593.tif 000002
【実用新案登録請求の範囲】
【請求項１】
把持腕部（１０）の先端に加熱腕部（１１）が一直線状に連結された一対の毛髪挟持アーム（１），（１）の基端部が、前記加熱腕部（１１）が近接離反するように閉開可能に枢着され、
前記加熱腕部（１１）は内部にヒータ収容部（１２ａ）が一体に形成された金属管による本体加熱管（１２）と、この本体加熱管（１２）の先端に取り付けられたプラスチック製のキャップ部材（１３）により形成され、
前記ヒータ収容部（１２ａ）にヒータ（２）が接触状態で装着され、
かつ前記本体加熱管（１２）と把持腕部（１０）との接続部に耐熱緩衝材（３１）が形成されると共に、本体加熱管（１２）とキャップ部材（１３）との接続部に耐熱緩衝材（３２）が形成されていることを特徴とするトリートメント用ヘアーアイロン。
【請求項２】
請求項１記載のトリートメント用ヘアーアイロンにおいて、前記金属管による本体加熱管（１２）の材質がアルミニウムであるトリートメント用ヘアーアイロン。
【請求項３】
請求項１又は２記載のトリートメント用ヘアーアイロンにおいて、前記本体加熱管（１２）に多元素鉱物を粉砕して形成した多元素鉱物粉状体が含まれているトリートメント用ヘアーアイロン。
【請求項４】
請求項３記載のトリートメント用ヘアーアイロンにおいて、前記多元素鉱物粉状体に、遠赤外線放射材料を粉砕して形成した遠赤外線放射粉状体が混合されているトリートメント用ヘアーアイロン。
【考案の詳細な説明】
【技術分野】
【０００１】
本考案は、美容室や理容室等の業務用として、また家庭用として供され、毛髪にトリートメントを施す際に使用するトリートメント用ヘアーアイロンに関する。
【背景技術】
【０００２】
美容室や理容室における毛髪ケアの技術メニューとして施術されるトリートメントは、環境要因による毛髪ダメージ、ヘアーカラーやヘアーパーマなどのケミカルダメージを受けた毛髪に対し、有効成分を毛髪内部にまで浸透させ、油分や水分を補って毛髪の状態を内側から整え、毛髪にツヤや張りを与えてしなやかにする効果がある。
【０００３】
従来、このヘアートリートメントの施術は、ヘアートリートメント液を塗布して濡れた毛髪を赤外線放射による加温装置（毛髪処理促進装置）で加温し、ヘアートリートメントの浸透、保護皮膜の形成処理を行うのが一般的である（特許文献１参照）。
【０００４】
しかしながら、このような毛髪処理促進装置を設備するには多額の費用がかかるし、特に、その施術は毛髪処理促進装置から頭髪に向かって赤外線を照射して頭髪を加熱するだけのもので、人手による細やかな技術で加熱処理を行うものではないため、丁寧な仕上がりという面では不十分であった。
【０００５】
ヘアーアイロンは、把持腕部の先端に加熱腕部が一直線状に連結された一対の毛髪挟持アームの基端部が、前記加熱腕部が近接離反するように閉開可能に枢着されたもので、この加熱腕部の間で毛髪を挟んで加熱することにより、毛髪にカールを付けたり、毛髪をストレートに延したりするものである（特許文献２参照）。
この場合、従来のヘアーアイロンは、毛髪挟持部分だけが加熱部に形成され、この加熱部以外の部分、即ち、毛髪挟持部分の側方部分や毛髪挟持部分の反対側部分はプラスチック材によって覆われ、これらの部分で毛髪加熱を行うには不十分といえる。
【先行技術文献】
【特許文献】
【０００６】
【特許文献１】特開２００２−８５１４３号公報
【特許文献２】特開２００９−２７３９００号公報
【考案の概要】
【考案が解決しようとする課題】
【０００７】
本考案のトリートメント用ヘアーアイロンは、トリートメントに際し、ヘアーアイロンの直熱で毛髪を加熱（４０〜５０℃）させるようにしたもので、その加熱効率を向上させるために加熱腕部の加熱面積を広く取ると共に熱伝達性に優れた金属管を用いた。
又、トリートメント液で濡れたままの毛髪に対してアイロンを当てることになるため、ショート等の電気的なトラブルを防止し、かつ安全性を確保するために防水性を持たせた。
【０００８】
即ち、本考案は、加熱効率を向上させ、かつ防水性を持ち、ヘアーアイロンによる直熱で毛髪を加熱することによりトリートメントの有効成分を浸透させて保護皮膜を形成させるようにしたもので、手作業による丁寧な仕上がりが得られるようにしたトリートメント用ヘアーアイロンを提供することを課題としている。
【課題を解決するための手段】
【０００９】
上記の課題を解決するために、本考案のトリートメント用ヘアーアイロンは、以下のような構成を採用した。
【００１０】
即ち、本考案の請求項１記載のトリートメント用ヘアーアイロンは、
把持腕部（１０）の先端に加熱腕部（１１）が一直線状に連結された一対の毛髪挟持アーム（１），（１）の基端部が、前記加熱腕部（１１）が近接離反するように閉開可能に枢着され、
前記加熱腕部（１１）は内部にヒータ収容部（１２ａ）が一体に形成された金属管による本体加熱管（１２）と、この本体加熱管（１２）の先端に取り付けられたプラスチック製のキャップ部材（１３）により形成され、
前記ヒータ収容部（１２ａ）にヒータ（２）が接触状態で装着され、
かつ前記本体加熱管（１２）と把持腕部（１０）との接続部に耐熱緩衝材（３１）が形成されると共に、本体加熱管（１２）とキャップ部材（１３）との接続部に耐熱緩衝材（３２）が形成されている構成とした。
【００１１】
本考案の請求項２記載のトリートメント用ヘアーアイロンは、
請求項１記載のトリートメント用ヘアーアイロンにおいて、前記金属管による本体加熱管（１２）の材質がアルミニウムである構成とした。
【００１２】
本考案の請求項３記載のトリートメント用ヘアーアイロンは、
請求項１又は２記載のトリートメント用ヘアーアイロンにおいて、前記本体加熱管（１２）に多元素鉱物を粉砕して形成した多元素鉱物粉状体が含まれている構成とした。
【００１３】
本考案の請求項４記載のトリートメント用ヘアーアイロンは、
請求項３記載のトリートメント用ヘアーアイロンにおいて、前記多元素鉱物粉状体に、遠赤外線放射材料を粉砕して形成した遠赤外線放射粉状体が混合されている構成とした。
【考案の効果】
【００１４】
本考案（請求項１）のトリートメント用ヘアーアイロンは、加熱腕部（１１）を金属管による本体加熱管（１２）で形成したので、ヒータ（２）からの熱をヒータ収容部（１２ａ）から加熱腕部（１１）の全周に亘って効率よく伝達させることができ、その加熱面積を広く取ることができる。
これにより、毛髪に対する加熱範囲が拡大し、ヘアーアイロンの直熱を効率よく毛髪に与えることができ、ヘアーアイロンを用いた手作業による丁寧なトリートメント施術を行うことができる。
【００１５】
又、本体加熱管（１２）の先端にプラスチック製のキャップ部材（１３）を取り付けているため、このキャップ部材（１３）への熱伝達を抑えることができ、施術中に加熱腕部（１１）の先端が頭皮に直に接触したときの熱さを緩和させることができる。
【００１６】
又、耐熱緩衝材（３１）、（３２）を形成したので、本体加熱管（１２）と把持腕部（１０）との接続部、及び本体加熱管（１２）とキャップ部材（１３）との接続部を防水することができ、トリートメント液で濡れたままの毛髪に対して使用してもショート等の電気的なトラブルを防止できるし、安全性を確保することができる。
【００１７】
前記金属管による本体加熱管（１２）の材質としてアルミニウムを用いると（請求項２）、このアルミニウムは熱伝達性が特に優れているため、毛髪に対する加熱効率をより一層向上させることができるし、軽量であるため持ち重り感が小さく、施術者の疲労感を軽減できる。
【００１８】
又、本考案（請求項３）のトリートメント用ヘアーアイロンは、前記金属管による本体加熱管（１２）に多元素鉱物を粉砕して形成した多元素鉱物粉状体が含まれている構成に特徴がある。
【００１９】
多元素鉱物（多元素鉱物粉状体）はマイナスイオン及び電磁波（微弱エネルギー）を発生させるもので、このマイナスイオンが毛髪のキューティクル（ガラス状の繊維）に作用し、常にツヤのよい状態に保つことができるし、マイナスイオンによってスキャルプケア等に効果が得られる。
【００２０】
また、多元素鉱物（多元素鉱物粉状体）から放射される４〜１４μｍの波長の電磁波（微弱エネルギ−）には、原子の核の周囲を電気的に変化させて原子、さらにその物質を励起状態（振動）にし、その結果、水のクラスター（ｃｌｕｓｔｅｒ）の重合を切断・短縮させ、水の容積の縮小、比重の増加、動植物の細胞外膜への水（自由水）の十分な付着をもたらし、細胞内にＣａ２＋と共に水の浸透が亢進し、細胞の諸機能を賦活化させる作用がある。
【００２１】
これにより特に、トリートメント液の浸透を向上させると共に、毛髪の保湿量を向上させてみずみずしさ（潤い）を与えることができるし、毛髪の弾性の向上、質感の向上、髪艶の向上、毛髪のケアにも効果的である。
【００２２】
又、多元素鉱物粉状体に、遠赤外線放射材料を粉砕して形成した遠赤外線放射粉状体を混合させておくと（請求項４）、この遠赤外線放射粉状体から遠赤外線が放射されて毛髪や頭皮を内部から温めることができ、これにより、毛髪に対するトリートメント液の浸透をより一層向上させることができる。
【図面の簡単な説明】
【００２３】
【図１】本考案のトリートメント用ヘアーアイロンの加熱腕部を延在方向で切断した断面図である。
【図２】このトリートメント用ヘアーアイロンの加熱腕部を延在方向と直交する方向で切断した断面図（図３のＡ−Ａ断面図）である。
【図３】このトリートメント用ヘアーアイロンの全体側面図である。
【考案を実施するための形態】
【００２４】
本実施例のトリートメント用ヘアーアイロンＨは、基端部が軸９により閉開可能に枢着された１対の毛髪挟持アーム１、１を備えている。
尚、前記１対の毛髪挟持アーム１、１は支持部８に内蔵したスプリング（図示せず）によって常時は開く状態に付勢されている。
【００２５】
前記毛髪挟持アーム１は、プラスチック製の把持腕部１０の先端に加熱腕部１１が一直線状に連結されたもので、毛髪挟持アーム１、１の開閉に伴い前記加熱腕部１１，１１が近接離反する。
【００２６】
前記加熱腕部１１は金属管による本体加熱管１２と、この本体加熱管１２の先端に取り付けられたプラスチック製のキャップ部材１３により形成されている。
前記金属管による本体加熱管１２は、軽量かつ熱伝達効率に優れたアルミニウムを材質とし、その断面形状は、図２に示すように全体としては横に長い楕円形状で、毛髪挟持部１２ｂが平坦に形成され、この毛髪挟持部１２ｂの内面にヒータ収容部１２ａが一体に形成され、このヒータ収容部１２ａに加熱手段としての電熱ヒータ２が接触状態で装着されている。
尚、本体加熱管１２の材質としては、アルミニウム以外の軽金属、銅、スチール、ステンレス等を使用できる。
【００２７】
前記キャップ部材１３は、本体加熱管１２の先端に取り付けられ、その先端面は丸みを持って閉鎖されている。
尚、実施例では、前記本体加熱管１２の毛髪挟持部１２ｂの反対側の面にキャップ部材１３に一体成形されたバー部材１３ａが取り付けられ、このバー部材１３ａによってキャップ部材１３の取り付けを安定させると共に、施術者の指が触れた場合の熱さの緩和を図っている。
【００２８】
又、前記本体加熱管１２と把持腕部１０との接続部に耐熱緩衝材３１が形成されると共に、本体加熱管１２とキャップ部材１３との接続部に耐熱緩衝材３２が形成されている。
又、前記バー部材１３ａは、本体加熱管１２に形成した溝１２ｃ内に嵌め込まれると共に、このバー部材１３ａと本体加熱管１２との接続部にも耐熱緩衝材３３が形成されている。
尚、図１及び図２は一方の加熱腕部１１について示しているが、他方の加熱腕部１１についても同様の構造になっている。
又、前記耐熱緩衝材３１、３２、３３としては、例えば、耐熱シリコンゴムを使用できる。
【００２９】
そして、前記本体加熱管１２に、多元素鉱物を粉砕して形成した多元素鉱物粉状体と、遠赤外線放射材料を粉砕して形成した遠赤外線放射粉状体が含有されている。
この場合、多元素鉱物粉状体は２種類以上を適宜に配合して使用することが好ましいが、１種類であってもよい。
【００３０】
多元素鉱物とは、例えば、真珠岩や松脂岩、それにトルマリン（電気石）のように珪素を主成分とし、多数の元素がバランスよく含まれている鉱物をいい、この多元素鉱物はマイナスイオンを出すことが知られている。
【００３１】
多元素鉱物の例である真珠岩の成分を以下の表１に示す。
【００３２】
【表１】
0003164593.tif 000003
【００３３】
又、遠赤外線放射材料としては、アルミナ（Ａｌ２Ｏ３）、チタニア（ＴｉＯ２）、フェライト（Ｆｅ２Ｏ３)、酸化クロム（Ｃｒ２Ｏ３)、シリカ（ＳｉＯ２）、イットリア（Ｙ２Ｏ３）、マグネシア（ＭｇＯ）等があり、これらを粉砕して粉状体にしたものを、単独或いは組み合わせて使用することができる。
【符号の説明】
【００３４】
１  毛髪挟持アーム
１０  把持腕部
１１  加熱腕部
１２  本体加熱管
１２ａ  ヒータ収容部
１３  キャップ部材
２  ヒータ
３１  耐熱緩衝材
３２  耐熱緩衝材
３３  耐熱緩衝材
Ｈ  ヘアーアイロン
【図１】
0003164593.tif 000004
【図２】
0003164593.tif 000005
【図３】
0003164593.tif 000006